(57)【要約】【課題】リードスクリュー及びナットを含むレンズ駆動装置において振動の伝達を防止すると共に組付けを確実にする。【解決手段】リードスクリュー５０、突起６３を有するナット６０、ベース１０に対して光軸方向Ｌに移動自在に支持されかつナット６０と当接する当接部３３を有するレンズ枠３０を備え、ナット６０は、レンズ枠３０に対して光軸方向の端面６２のみが接触するように保持され、ベース１０は、突起６３を受け入れて光軸方向にガイドするガイド溝１８ｂを有し、ベース１０又はレンズ枠３０は、組付け時においてのみリードスクリューに螺合されたナットの突起６３をガイド溝１８ｂに向けて案内する規制壁１１ｂ，２４を有する。これにより、ナットからレンズ枠への振動の伝達が防止され、又、ナットの突起６３がガイド溝１８ｂから逸脱しないように確実に組付けられる。【選択図】図８
2008076419.tif 000002
【特許請求の範囲】
【請求項１】
ベース、前記ベースに固定された駆動源、前記駆動源により回転駆動されるリードスクリュー、前記リードスクリューに螺合すると共に径方向に突出する突起を有するナット、前記ベースに対して光軸方向に移動自在に支持されかつ前記ナットと光軸方向において当接する当接部を有するレンズ枠、を備えたレンズ駆動装置であって、
前記ナットは、前記レンズ枠に対して光軸方向の端面のみが接触するように保持され、
前記ベースは、前記突起を受け入れて光軸方向にガイドするガイド溝を有し、
前記ベース又はレンズ枠は、組付け時においてのみ前記リードスクリューに螺合された前記ナットの突起を前記ガイド溝に向けて案内する突起案内部を有する、
ことを特徴とするレンズ駆動装置。
【請求項２】
前記突起案内部は、前記当接部の周辺領域から光軸方向に突出すると共に前記突起の向きを所定の角度範囲に規制するように、前記レンズ枠に形成された規制壁を含む、
ことを特徴とする請求項１記載のレンズ駆動装置。
【請求項３】
前記突起案内部は、前記ガイド溝の近傍領域から前記ナットに向けて突出すると共に光軸方向に伸長して前記突起の向きを所定の角度範囲に規制するように、前記ベースに形成された規制壁を含む、
ことを特徴とする請求項１又は２に記載のレンズ駆動装置。
【請求項４】
前記ベースは、前記リードスクリューを回動自在に支持する第１ベース半体と、前記ガイド溝を画定すると共に前記第１ベース半体に組付けられる第２ベース半体と、を含む、
ことを特徴とする請求項１ないし３いずれかに記載のレンズ駆動装置。
【請求項５】
前記ガイド溝を画定する一対の壁部は、前記ナットの突起を前記ガイド溝に導くための傾斜面を有する、
ことを特徴とする請求項１ないし４いずれかに記載のレンズ駆動装置。
【請求項６】
前記レンズ枠の当接部は、前記ナットの端面に光軸方向の一方向からのみ離脱自在に当接するように形成され、
前記当接部は、前記ナットに当接するようにバネにより付勢されている、
ことを特徴とする請求項１ないし５いずれかに記載のレンズ駆動装置。
【発明の詳細な説明】
【技術分野】
【０００１】
本発明は、リードスクリュー及びナットの螺合構造によりレンズを保持したレンズ枠を光軸方向に駆動するレンズ駆動装置に関する。
【背景技術】
【０００２】
従来のレンズ駆動装置としては、ベース（あるいはケース）、レンズを保持したレンズ枠、レンズ枠を光軸方向に案内するべくベースに固定されたガイドシャフト、ベースに固定されたモータ、モータに直結されて回転駆動されるリードスクリュー、レンズ枠に対して回転不能にかつ光軸方向に離脱可能に保持されると共にリードスクリューに螺合するナット、ナットの突起を光軸方向において摺動自在にガイドするべくベースに一体的に形成されたガイド溝（回転止め溝）、レンズ枠をナットに向けて付勢するコイルスプリング等を備え、ナットの一方の突起がレンズ枠の回転止め溝に係合して回転不能に保持され、ナットの他方の突起が光軸方向にガイドされるようにベースのガイド溝に若干のガタをもって係合されており、モータによりリードスクリューを回転させて、ナットをネジ送りすることにより、レンズ枠を光軸方向に移動させるものが知られている（例えば、特許文献１参照）。
【０００３】
しかしながら、上記従来の装置においては、ナットの突起がレンズ枠の回転止め溝に直接係合（接触）させられているため、リードスクリューとナット間の組立公差やそれらに形成されたネジ部の加工公差等による負荷変動、モータの回転駆動力とその反動等により、ナットの突起が回転止め溝に対して衝突を繰り返してガタツキ現象を生じ、光軸と垂直な方向にレンズ枠が振動する虞がある。
それ故に、この装置を適用したＣＤやＤＶＤ用の光ピックアップユニット等においては、ディスク上のデータの読み出しや書き込み中に、レンズ枠を光軸方向に移動させるとき、レンズの光軸が変動して、ディスク上の焦点を一定に保つことが困難になる虞がある。
【０００４】
【特許文献１】特開２００５−２４９６８３号公報
【発明の開示】
【発明が解決しようとする課題】
【０００５】
本発明は、上記の事情に鑑みて成されたものであり、その目的とするところは、構造の簡素化、装置の小型化等を図りつつ、仮にナットが微小振動を生じたとしても、その振動がレンズ枠に伝達されないようにして、レンズ枠（レンズ）を振動することなく光軸方向に高精度に安定して駆動でき、又、装置の組付け時に、ナットを所定の向きに方向付けて確実に組付けることのできるレンズ駆動装置を提供することにある。
【課題を解決するための手段】
【０００６】
本発明のレンズ駆動装置は、ベース、ベースに固定された駆動源、駆動源により回転駆動されるリードスクリュー、リードスクリューに螺合すると共に径方向に突出する突起を有するナット、ベースに対して光軸方向に移動自在に支持されかつナットと光軸方向において当接する当接部を有するレンズ枠を備えたレンズ駆動装置であって、上記ナットは、レンズ枠に対して光軸方向の端面のみが接触するように保持され、上記ベースは、突起を受け入れて光軸方向にガイドするガイド溝を有し、上記ベース又はレンズ枠は、組付け時においてのみリードスクリューに螺合されたナットの突起をガイド溝に向けて案内する突起案内部を有する、ことを特徴としている。
この構成によれば、駆動源の回転駆動力によりリードスクリューが回転すると、ナットがベースにより回転を規制されつつ光軸方向にネジ送りされ、このナットに追従してレンズ枠が光軸方向に移動する。
ここで、ナットは、レンズ枠と光軸方向においてのみ接触するだけでベースに対して回転不能に係合させられているため、仮にナットが微小振動を生じても、その振動はベースで受け止められてレンズ枠には伝達されず、レンズ枠（レンズ）は振動することなく光軸方向に安定して移動する。これにより、このレンズ駆動装置が光ピックアップユニット等に搭載された場合に、レンズの駆動中においても光軸が変動せず、焦点を一定に保つことができる。
また、組付け時において、ナットの突起は、ベース又はレンズ枠に形成された突起案内部により案内されてガイド溝に嵌め込まれるため、突起がガイド溝から逸脱しないように確実に組付けることができ、構造の簡略化、組付けの容易化を達成しつつ、所期の機能を確実に保証することができる。
【０００７】
上記構成において、突起案内部は、当接部の周辺領域から光軸方向に突出すると共に突起の向きを所定の角度範囲に規制するように、レンズ枠に形成された規制壁を含む、構成を採用することができる。
この構成によれば、組付け時において、ナットの突起は、レンズ枠の規制壁により所定の向きに方向付けられつつ、ガイド溝に確実にかつ容易に嵌め込まれる。また、突起案内部として、レンズ枠に一体的に形成された規制壁を適用するため、専用の部品を設ける場合に比べて構造を簡素化でき、又、レンズ枠を樹脂成型する場合に、当接部と一緒に規制壁（突起案内部）を容易に成型することができる。
【０００８】
上記構成において、突起案内部は、ガイド溝の近傍領域からナットに向けて突出すると共に光軸方向に伸長して突起の向きを所定の角度範囲に規制するように、ベースに形成された規制壁を含む、構成を採用することができる。
この構成によれば、組付け時において、ナットの突起は、ベースの規制壁により所定の向きに方向付けられつつ、ガイド溝に確実にかつ容易に嵌め込まれる。また、突起案内部として、ベースに一体的に形成された規制壁を適用するため、専用の部品を設ける場合に比べて構造を簡素化でき、又、ベースを樹脂成型する場合に、規制壁（突起案内部）を容易に成型することができる。
【０００９】
上記構成において、ベースは、リードスクリューを回動自在に支持する第１ベース半体と、ガイド溝を画定すると共に第１ベース半体に組付けられる第２ベース半体とを含む、構成を採用することができる。
この構成によれば、第１ベース半体に保持されたリードスクリューにナットが組み込まれ、かつ、ナットの突起が突起案内部により所定の向きに方向付けられた状態で、第２ベース半体を第１ベース半体に組付けると、そのガイド溝に突起が入り込むため、組付けを一層容易にかつ確実に行うことができる。
【００１０】
上記構成において、ガイド溝を画定する一対の壁部は、ナットの突起をガイド溝に導くための傾斜面を有する、構成を採用することができる。
この構成によれば、組付け時において、ナットの突起が一対の壁部の（端面縁部に形成された）傾斜面に沿ってガイド溝に案内されるため、突起を円滑にガイド溝に嵌め込むことができる。
【００１１】
上記構成において、レンズ枠の当接部は、ナットの端面に光軸方向の一方向からのみ離脱自在に当接するように形成され、当接部は、ナットに当接するようにバネにより付勢されている、構成を採用することがきる。
この構成によれば、レンズ枠の（当接部領域の）形状の簡素化を達成しつつ、リードスクリュー、レンズ枠、ナット、バネ等を、容易にかつ確実に組付けることができ、レンズ枠の振動を防止する構造を採用しつつも、装置の生産性を向上させることができる。
【発明の効果】
【００１２】
上記構成をなすレンズ駆動装置によれば、構造の簡素化、装置の小型化等を達成しつつ、リードスクリューに螺合するナットが微小振動を生じたとしても、その振動がレンズ枠に伝達されるのを防止でき、又、装置の組付け時にナットを所定の向きに方向付けて確実に組付けることのできるレンズ駆動装置を得ることができる。
【発明を実施するための最良の形態】
【００１３】
以下、本発明の最良の実施形態について、添付図面を参照しつつ説明する。
図１ないし図９は、本発明に係るレンズ駆動装置の一実施形態を示すものであり、図１は装置の分解斜視図、図２は装置の正面図、図３は装置の一部をなすベース（第１ベース半体及び第２ベース半体）の分解斜視図、図４は装置の一部なす第２ベース半体を示す斜視図、図５は装置の一部をなすレンズ枠を示す斜視図、図６は装置の縦断面図、図７は装置の一部を拡大した拡大断面図、図８は装置の横断面図、図９は装置の一部を拡大した拡大断面図である。
【００１４】
この装置は、図１に示すように、ベースとしてのケース１０、ケース１０に固定され光軸方向Ｌに伸長する２つのガイドシャフト２０、レンズＧを保持しガイドシャフト２０により光軸方向Ｌに移動自在に支持されたレンズ枠３０、ケース１０に固定された駆動源としてのモータ４０、モータ４０に直結され光軸方向Ｌに伸長するリードスクリュー５０、リードスクリュー５０に螺合されると共にレンズ枠３０に当接されるナット６０、レンズ枠３０をナット６０に向けて付勢するバネ７０、レンズ枠３０の初期位置を検出する検出センサ８０等を備えている。
【００１５】
ケース１０は、樹脂材料により成型されており、図１ないし図４に示すように、第１ベース半体としてのケース本体１０ａ及び第２ベース半体としてのケースカバー１０ｂにより形成されている。そして、ケース本体１０ａ及びケースカバー１０ｂは、ネジＢにより締結されて一体的に固定され、レンズ枠３０を光軸方向Ｌに移動自在に収容する内部空間を画定するようになっている。
【００１６】
ケース本体１０ａは、図３及び図６に示すように、光軸方向Ｌに延出すると共に内部空間を画定する一対の側壁部１１、光軸方向Ｌの前方に開口してケースカバー１０ｂが接合される端面部１２、端面部１２に形成された２つの位置決め穴１２ａ、モータ４０を固定する固定部１３、ガイドシャフト２０の一端部を嵌合する２つの嵌合孔１４、一方の嵌合孔１４の周りに形成されてバネ７０の端部を受けるバネ受け部１４ａ、検出センサ８０を装着する略矩形の開口をなす装着部１５、端面部１２から突出して形成されたネジ穴１６ａをもつ２つのボス部１６、種々の取り付けフランジ等を備えている。
一方の側壁部１１は、図３及び図９に示すように、後述するケースカバー１０ｂの側壁部１８を嵌合させるべく光軸方向Ｌに伸長するスリット１１ａ、スリット１１ａに隣接する領域において（すなわち、ガイド溝１８ｂの近傍領域から）、ナット６０に向けて突出すると共に光軸方向Ｌに伸長して形成された突起案内部としての規制壁１１ｂを画定している。
【００１７】
ケースカバー１０ｂは、図３及び図４に示すように、光軸方向Ｌに略垂直な方向に拡がってケース本体１０ａにより画定される内部空間を覆う端面壁１７、端面壁１７から光軸方向Ｌに延出し側壁部１１のスリット１１ａに嵌合される側壁部１８、端面壁１７から光軸方向Ｌに突出した位置に形成され端面部１２の位置決め穴１２ａに嵌合される２つの位置決めピン１９、端面壁１７に形成されたネジＢを通す貫通孔１７ａ，ガイドシャフト２０の他端部を嵌合する２つの嵌合孔１７ｂ，及びリードスクリュー５０の先端部を支持する軸受け穴１７ｃ、側壁部１８において光軸方向に伸長するように形成された一対の壁部１８ａ、一対の壁部１８ａにより光軸方向に伸長するように画定されて後述するナット６０の突起６３を受け入れるガイド溝１８ｂ等を備えている。
【００１８】
２つのガイドシャフト２０は、図１、図６ないし図８に示すように、円形断面をなす金属材料により光軸方向Ｌに伸長するように形成されており、それらの一端がケース本体１０ａの嵌合孔１４に嵌合され、それらの他端がケースカバー１０ｂの嵌合孔１７ｂに嵌合されている。そして、一方のガイドシャフト２０がレンズ枠３０を光軸方向Ｌに案内し、他方のガイドシャフト２０がレンズ枠３０を光軸方向Ｌに案内すると共にレンズ枠３０が光軸Ｌ回りに回転するのを規制している。
【００１９】
レンズ枠３０は、樹脂材料により形成されており、図５ないし図９に示すように、光軸方向Ｌに伸長するように形成されてガイドシャフト２０を摺動自在に嵌合させて連結する連結部３１、連結部３１から径方向の一方向に延出しレンズＧを保持する環状部３２、連結部３１から他方向に延出し後述するナット６０の端面６２を当接させる平坦面及びリードスクリュー５０を非接触にて通す貫通孔３３ａを画定なす当接部３３、当接部３３の周辺領域から光軸方向Ｌに突出すると共にナット６０の突起６３の向きを所定の角度範囲に規制する突起案内部としての規制壁３４、当接部３３からさらに延出しガイドシャフト２０を摺動自在に嵌合させて連結するＵ字状の連結部３５、連結部３１の端部においてバネ７０の端部を受けるように形成されたバネ受け部３６、連結部３５から光軸方向Ｌに伸長するように形成されて検出センサ８０により検出されるための被検出片３７等を備えている。
そして、レンズ枠３０は、リードスクリュー５０に螺合した後述するナット６０の端面６２を当接部３３に当接させた状態で、ナット６０の外周と非接触の状態を維持しつつ、ナット６０を光軸方向に離脱可能に保持するようになっている。
【００２０】
モータ４０は、所定の角度刻みでステップ的に回転し得るステッピングモータであり、図１及び図６に示すように、ネジＢによりケース本体１０ａの固定部１３に固定されている。そして、モータ４０は、直結されたリードスクリュー５０に回転駆動力を及ぼすようになっている。
【００２１】
リードスクリュー５０は、図１、図６及び図７に示すように、金属材料により光軸方向Ｌに伸長するように形成されており、その外周面の所定領域に亘って雄ネジ５１を備えている。
ナット６０は、図１、図６ないし図９に示すように、金属材料により形成されており、リードスクリュー５０の雄ネジ５１に螺合する雌ネジ６１、光軸方向Ｌに向かいレンズ枠３０の当接部３３に当接する端面６２、外周面から径方向に突出すると共にガイド溝１８ｂに挿入し得る幅をなす突起６３等を備えている。
突起６３は、ナット６０がリードスクリュー５０の回りに回転してガタツキを生じないような幅寸法で、かつ、ガイド溝１８ｂの長手方向（光軸方向Ｌ）に摺動自在となるように形成されている。
【００２２】
バネ７０は、図１及び図６に示すように、コイル状に形成された圧縮型のコイルバネであり、その一端がケース本体１０ａのバネ受け部１４ａに係合され、その他端がレンズ枠３０のバネ受け部３６に係合されて、所定の圧縮代に圧縮した状態で取り付けられている。したがって、バネ７０は、レンズ枠３０を光軸方向Ｌの前方に向けて付勢し、レンズ枠３０の当接部３３をナット６０（の端面６２）に押し付けるような付勢力を及ぼす。
【００２３】
検出センサ８０は、発光素子及び受光素子をもつ透過型の光センサであり、レンズ枠３０の被検出片３７の有無により、レンズ枠３０の初期位置（ホームポジション）を検出するようになっている。
【００２４】
次に、装置の組付けについて説明する。
先ず、リードスクリュー５０が直結されたモータ４０をケース本体１０ａの固定部１３にネジＢで締結して固定し、２つのガイドシャフト２０，２０をケース本体１０ａの嵌合孔１４，１４に嵌合して固定し、又、検出センサ８０をケース本体１０ａの装着部１５に組付けて固定する。
【００２５】
続いて、バネ７０を一方のガイドシャフト２０に外嵌させて、その一端をバネ受け部１４ａに着座させ、光軸方向Ｌの前方Ｆからレンズ枠３０を近づけて、バネ受け部３６でバネ７０の他端を圧縮しつつ、連結部３３，３５にガイドシャフト２０，２０を摺動自在に通すと共に貫通孔３３ａにリードスクリュー５０を非接触にて通した状態にて保持する。
【００２６】
続いて、ナット６０を光軸方向Ｌの前方Ｆから近づけてリードスクリュー５０に螺合させ所定の深さまで（光軸方向Ｌの後方Ｒに向けて）移動させる。
そして、ナット６０の突起６３を、図１０に示すように、（ケース本体１０ａの）規制壁３４及び（レンズ枠３０の）規制壁１１ｂにより規制される所定の角度範囲内に位置するように方向付けた後、レンズ枠３０を開放し、バネ７０の付勢力により、レンズ枠３０を光軸方向Ｌの前方Ｆに向けて移動させて、その当接部３３をナット６０の端面６２に当接させる。
【００２７】
このように、組付け時において、レンズ枠３０の規制壁３４とケース本体１０ａの規制壁１１ｂにより、ナット６０の突起６３を、所定の角度範囲（一点鎖線で示す突起６３、好ましくは、実線で示す突起６３の方向）に方向付けることができ、二点鎖線で示すような位置に突起６３を向けた状態でナット６０を組み付けるのを防止することができる。
これにより、後工程にて組み付けられるケースカバー１０ｂのガイド溝１８ｂに向けて、ナット６０の突起６３を予め方向付けする（案内する）ことができる。
【００２８】
続いて、ケースカバー１０ｂを光軸方向Ｌの前方Ｆから近づけて、嵌合孔１７ｂ，１７ｂにガイドシャフト２０，２０の他端を嵌合させ、位置決めピン１９，１９を位置決め穴１２ａ，１２ａに嵌合させ、リードスクリュー５０の先端を軸受け穴１７ｃに嵌合させ、又、側壁部１８をスリット１１ａに嵌合させる。
そして、ナット６０の突起６３が、図１０の実線で示す位置に方向付けられているとき、ナット６０の突起６３はガイド溝１８ｂに円滑に入り込む。
一方、ナット６０の突起６３が一点鎖線で示す位置に方向付けられているとき、側壁部１８の嵌め込みがスムーズに行われないため、作業者が突起６３を実線で示す向きに方向付けするように手直しする。
【００２９】
その後、側壁部１８をスリット１１ａに嵌合させて、ネジＢを貫通孔１７ａに通してネジ穴１６ａに締結する。これにより、ケースカバー１０ｂはケース本体１０ａに堅固に組み付けられ、ナット６０は、図８及び図９に示すように、突起６３がガイド溝１８ｂに沿って光軸方向Ｌに移動自在となるように方向付けられて組付けられ、装置全体の組付け作業が完了する。
【００３０】
上記のように、組付け時において、ナット６０の突起６３は、ケース本体１０ａの規制壁１１ｂ（突起案内部）及びレンズ枠３０の規制壁３４（突起案内部）により案内されてガイド溝１８ｂに嵌め込まれるため、突起６３をガイド溝１８ｂから逸脱しないように確実に組付けることができ、組付けの容易化を達成しつつ、所期の機能を確実に保証することができる。
特に、ケース本体１０ａに保持されたリードスクリュー５０にナット６０が組み込まれ、かつ、ナット６０の突起６３が規制壁３４，１１ｂにより所定の向きに方向付けられた状態で、ケースカバー１０ｂをケース本体１０ａに組付けるため、突起６３をガイド溝１８ｂに確実に嵌め込むことができ、組付けを一層容易にかつ確実に行うことができる。
【００３１】
また、突起案内部として、レンズ枠３０に一体的に形成された規制壁３４及びケース本体１０ａに一体的に形成された規制壁１１ｂを適用するため、専用の部品を設ける場合に比べて構造を簡素化できる。さらに、レンズ枠３０を樹脂成型する場合に、当接部３３及び規制壁３４を一緒に容易に成型することができ、ケース本体１０ａを樹脂成型する場合に、規制壁１１ｂを側壁部１１の一部として容易に成型することができる。
【００３２】
このように、装置の組付けにおいては、ケース本体１０ａに対して、光軸方向Ｌの前方から、バネ７０、レンズ枠３０、ナット６０、ケースカバー１０ｂを順次に用意して嵌め込むだけで、容易にかつ確実に組付けることができる。したがって、組付け作業を容易にかつ迅速に行うことができ、生産性を向上させることができる。
【００３３】
次に、この装置の動作について説明する。
先ず、レンズ枠３０が光軸方向Ｌの後方（初期位置）に位置するとき、検出センサ８０は被検出片３７を検出する。
そして、モータ４０が正回転すると、リードスクリュー５０が回転し、突起６３がケース１０のガイド溝１８ｂに回転不能に規制されつつ光軸方向Ｌにのみ案内されて、ナット６０はネジ送り作用により光軸方向Ｌの前方に向けて移動する。
すると、バネ７０の付勢力により、当接部３３はナット６０に追従して移動するため、レンズ枠３０はナット６０と一緒になって光軸方向Ｌの前方に向けて移動する。
そして、モータ４０の起動からのステップ数をカウントして、レンズ枠３０の駆動量を適宜制御して、レンズ枠３０を所望の位置に位置決めする。
【００３４】
一方、モータ４０が逆回転すると、リードスクリュー５０が回転し、突起６３がケース１０のガイド溝１８ｂに回転不能に規制されつつ光軸方向Ｌにのみ案内されて、ナット６０はネジ送り作用により光軸方向Ｌの後方に向けて移動する。
すると、バネ７０の付勢力に抗しつつ、当接部３３はナット６０に押されるため、レンズ枠３０はナット６０と一緒になって光軸方向Ｌの後方に向けて移動し、駆動量を適宜制御することで所望の位置に位置決めされ、さらに後方に移動して初期位置に戻る。
【００３５】
この駆動動作において、雄ネジ５１や雌ネジ６１の加工公差等による負荷変動、リードスクリュー５０の回転力及びその反力等により、ナット６０が仮に微小振動を生じても、ナット６０は、ベース１０のガイド溝１８ｂに対して回転不能に係合されているだけで、規制壁１１ｂと接触しておらず、又、光軸方向Ｌにおいて当接部３３とのみ接触しているだけで、ナット６０は光軸Ｌと垂直な方向においてレンズ枠３０の他の部分（例えば、規制壁３４等）と接触していないため、その微小振動がレンズ枠３０に伝わるのを防止できる。
【００３６】
すなわち、このレンズ駆動装置によれば、構造の簡略化、小型化等を達成しつつ、リードスクリュー５０に螺合するナット６０が微小振動を生じたとしても、レンズ枠３０（レンズＧ）を、振動させることなく光軸方向Ｌに高精度に安定して駆動することができる。
したがって、このレンズ駆動装置が光ピックアップユニット等に適用された場合に、レンズ枠３０の駆動中においても光軸が変動せず、焦点を一定に保つことができる。
【００３７】
図１１は、本発明に係るレンズ駆動装置の他の実施形態を示すものであり、ケースカバー１０ｂの一部を変更した以外は前述の実施形態と同一である。したがって、前述実施形態と同一の構成については同一の符号を付してその説明を省略する。
この装置のケースカバー１０ｂにおいて、図１１に示すように、（側壁部１８の）一対の壁部１８ａには、それらの端面縁部において、外側に向けて末広がる傾斜面１８ａ´が形成されている。
【００３８】
傾斜面１８ａ´は、ナット６０の突起６３をガイド溝１８ｂに導くように形成されている。したがって、組付け時において、ナット６０の突起６３は、一対の壁部１８ａの傾斜面１８ａ´に沿ってガイド溝１８ｂに案内されるため、突起６３を円滑にガイド溝１８ｂに嵌め込むことができる。
【００３９】
図１２は、本発明に係るレンズ駆動装置のさらに他の実施形態を示すものであり、前述の実施形態に対して、突起案内部（規制壁）を設ける位置を変更したものである。したがって、前述実施形態と同一の構成については同一の符号を付してその説明を省略する。
この装置において、ケース本体１０ａの側壁部１１は、ナット６０の突起６３が衝突しないように、スリット１１ａの両側近傍が湾曲した湾曲部１１ｂ´を画定するように形成されている。また、レンズ枠３０は、当接部３３の周りにおいて、突起６３を両側から所定の間隔を開けて挟みこむように形成された２つの規制壁３４を一体的に備えている。
【００４０】
２つの規制壁３４は、ナット６０が当接部３３に当接させられた状態において、突起６３を所定の角度範囲に方向付けるようになっている。したがって、組付け時において、ナット６０は、突起６３がガイド溝１８ｂから逸脱しないように確実に組付けられ、構造の簡略化、組付けの容易化を達成しつつ、所期の機能を確実に保証することができる。
【００４１】
図１３は、本発明に係るレンズ駆動装置のさらに他の実施形態を示すものであり、前述の実施形態に対して、突起案内部（規制壁）を設ける位置を変更したものである。したがって、前述実施形態と同一の構成については同一の符号を付してその説明を省略する。
この装置において、ケース本体１０ａの側壁部１１は、ガイド溝１８ｂを挟む両側の近傍領域において、２つの規制壁１１ｂを一体的に備えている。また、レンズ枠３０は、当接部３３の周りにおいて、規制壁１１ｂよりも後退した位置において規制壁３４´を一体的に備えている。
【００４２】
２つの規制壁１１ｂは、ナット６０が当接部３３に当接させられた状態において、突起６３を所定の角度範囲に方向付けるようになっている。したがって、組付け時において、ナット６０は、突起６３が規制壁１１ｂに案内されてガイド溝１８ｂから逸脱しないように確実に組付けられ、構造の簡略化、組付けの容易化を達成しつつ、所期の機能を確実に保証することができる。
【００４３】
上記実施形態においては、光軸方向Ｌに移動するレンズ枠として一つのレンズ枠３０を示したが、これに限定されるものではなく、複数のレンズ枠を備える構成において本発明を適用することができる。その場合、ガイド溝は、一つを共用してもよく、又、レンズ枠ごとに設けてもよい。
【００４４】
上記実施形態においては、ナット６０の端面６２にレンズ枠３０の当接部３３を当接させるべくバネ７０を採用した場合を示したが、これに限定されるものではなく、ナット６０を光軸方向Ｌの両側から（ナットの両側の端面を）挟み込むような構造をレンズ枠３０に設けて、バネ７０を廃止する構成においても、本発明を適用することができる。
上記実施形態においては、ベースとしてケース１０を示したが、これに限定されるものではなく、内部空間を画定せず、レンズ枠３０等を露出させる形態をなすベースを採用してもよく、又、ベースとして第１ベース半体（ケース本体１０ａ）と第２ベース半体（ケースカバー１０ｂ）からなるニ分割の構成を示したが、これに限定されるものではなく、一つの部材から構成されたものを採用してもよい。
【産業上の利用可能性】
【００４５】
以上述べたように、本発明のレンズ駆動装置は、構造の簡略化、小型化等を達成しつつ、ナットからレンズ枠に振動が伝わるのを防止でき、又、装置の組付け時にナットを所定の向きに方向付けて確実に組付けることのできるため、光ピックアップユニット等に適用できるのは勿論のこと、ナットからレンズ枠に振動が伝わるのを防止する必要があるものであれば、その他のレンズ光学系に対しても有用である。
【図面の簡単な説明】
【００４６】
【図１】本発明に係るレンズ駆動装置の一実施形態を示す分解斜視図である。
【図２】図１に示すレンズ駆動装置の正面図である。
【図３】図１に示すレンズ駆動装置の一部をなすケース（ベース）を示す分解斜視図である。
【図４】図１に示すレンズ駆動装置の一部をなすケース（ベース）の一部を示す斜視図である。
【図５】図１に示すレンズ駆動装置の一部をなすレンズ枠を示す斜視図である。
【図６】図１に示すレンズ駆動装置の縦断面図である。
【図７】図１に示すレンズ駆動装置の一部を拡大した部分拡大断面図である。
【図８】図１に示すレンズ駆動装置の横断面図である。
【図９】図１に示すレンズ駆動装置の一部を拡大した部分拡大断面図である。
【図１０】図１に示すレンズ駆動装置の組付けを説明するための部分拡大断面図である。
【図１１】本発明に係るレンズ駆動装置の他の実施形態を示す部分拡大断面図である。
【図１２】本発明に係るレンズ駆動装置のさらに他の実施形態を示す部分拡大断面図である。
【図１３】本発明に係るレンズ駆動装置のさらに他の実施形態を示す部分拡大断面図である。
【符号の説明】
【００４７】
Ｌ  光軸方向
Ｇ  レンズ
１０  ケース（ベース）
１０ａ  ケース本体（第１ベース半体）
１０ｂ  ケースカバー（第２ベース半体）
１１  側壁部
１１ａ  スリット
１１ｂ  規制壁（突起案内部）
１１ｂ´  湾曲部
１２  端面部
１２ａ  位置決め穴
１３  固定部
１４  嵌合孔
１４ａ  バネ受け部
１５  装着部
１６  ボス部
１６ａ  ネジ穴
１７  端面壁
１７ａ  貫通孔
１７ｂ  嵌合孔
１７ｃ  軸受け穴
１８  側壁部
１８ａ  一対の壁部
１８ａ´  傾斜面
１８ｂ  ガイド溝
１９  位置決めピン
２０  ガイドシャフト
３０  レンズ枠
３１，３５  連結部
３２  環状部
３３  当接部
３３ａ  貫通孔
３４  規制壁（突起案内部）
３６  バネ受け部
３７  被検出片
４０  モータ（駆動源）
５０  リードスクリュー
５１  雄ネジ
６０  ナット
６１  雌ネジ
６２  端面
６３  突起
７０  バネ
８０  検出センサ
【図１】
2008076419.tif 000003
【図２】
2008076419.tif 000004
【図３】
2008076419.tif 000005
【図４】
2008076419.tif 000006
【図５】
2008076419.tif 000007
【図６】
2008076419.tif 000008
【図７】
2008076419.tif 000009
【図８】
2008076419.tif 000010
【図９】
2008076419.tif 000011
【図１０】
2008076419.tif 000012
【図１１】
2008076419.tif 000013
【図１２】
2008076419.tif 000014
【図１３】
2008076419.tif 000015